(57)【要約】【課題】継続的な使用により理想的な歩行や姿勢が形成され次第に腰痛や膝痛も改善されていくと共に、極めて履き易く継続的使用に際して抵抗感を感じさせない履物用中敷およびそれを備えた履物を提供する。【解決手段】本発明の履物用中敷１は、履物の底部上面に配置する板状体であって、足の指が配置される部位に設けられ足の指を下方に向かって屈曲可能とする足指配置用凹部を構成する足指配置用切欠き部２と、足の指の付け根が配される部位に沿って幅方向に延在して設けられた足の指の付け根配置部３と、足の指の付け根配置部３から足裏の外側が配置される部位に沿って踵が配される方向に延在して設けられた足裏の外側配置部４と、足の指の付け根配置部４から足裏の内側が配置される部位に沿って踵が配される方向に延在して設けられた足裏の内側配置用切欠き部５とを有している。【選択図】図１
2018192026.tif 000002
【特許請求の範囲】
【請求項１】
履物の底部上面に配置する板状体であって、足の指が配置される部位に設けられ足の指を下方に向かって屈曲可能とする足指配置用凹部を構成する足指配置用切欠き部と、足の指の付け根が配される部位に沿って幅方向に延在して設けられた足の指の付け根配置部と、該足の指の付け根配置部から足裏の外側が配置される部位に沿って踵が配される方向に延在して設けられた足裏の外側配置部と、前記足の指の付け根配置部から足裏の内側が配置される部位に沿って踵が配される方向に延在して設けられた足裏の内側配置用切欠き部とを有していることを特徴とする履物用中敷。
【請求項２】
前記履物用中敷の前記足裏の外側配置部は、小指球が配置される部位に小指球配置用切欠き部を有している請求項１に記載の履物用中敷。
【請求項３】
前記履物用中敷の前記足の指の付け根配置部は、足の指の付け根付近の窪みに対応した三次元形態の隆起部を有している請求項１または２に記載の履物用中敷。
【請求項４】
前記足裏の外側配置部の内側側面は、内側に向かって降下する傾斜面に形成されている請求項１ないし３のいずれかに記載の履物用中敷。
【請求項５】
前記履物用中敷は、使用者の履物のサイズに応じて前記履物用中敷の前記足裏の外側配置部の踵配置側部位を切除して使用されるものである請求項１ないし４のいずれかに記載の履物用中敷。
【請求項６】
前記履物用中敷は、前記履物の底部上面に貼付するための接着層と、該接着層を被覆するための剥離層を有している請求項１ないし５のいずれかに記載の履物用中敷。
【請求項７】
前記請求項1ないし６のいずれかに記載の履物用中敷を底部上面に配したことを特徴とする履物。
【発明の詳細な説明】
【技術分野】
【０００１】
本発明は、継続的な使用により理想的な歩行や姿勢が形成され次第に腰痛や膝痛が改善される履物用中敷およびそれを備えた履物に関する。
【背景技術】
【０００２】
従来より、履物の底部構造に工夫を凝らすことで使用者の腰痛を予防または改善するものが種々提案されている。例えば、そのようなものとして、腰痛などの足裏反射点の位置に補助パットを貼付し、靴を着用した時の押圧刺激により腰痛等を改善するもの（特開平１１−１４６８０２号）、低弾性の充填材により直接的な強い衝撃を緩和して膝痛、腰痛の発生を抑制するもの（特開２００４−２４８９４２号）、爪先部を踵部より高くすることで、前傾姿勢を解消して内臓の機能低下、腰痛等を改善するもの（特開２００５−１６０５６０号）などがある。
【０００３】
ところで、現代人はアスファルトの上を歩き平らな床で生活しているため、足の指が使われず指の力が弱く、土踏まずが反り上がった縦アーチが形成されない傾向にある。その結果、扁平足気味の足で指を使わず、踵側に重心を置き、かつ爪先が外側に開いた、いわゆるＯ脚で歩行するため、その衝撃で腰痛や膝痛が誘発されることが指摘されている。また、利き足側に重心が偏るため、肩の高さが左右で異なるなど姿勢がアンバランスとなって腰痛や膝痛がさらに悪化していくことが指摘されている。
【０００４】
理想的な歩行は、踵側で軽く着地した後、足の指（特に親指）で地面を蹴り上げるようにして前に移動するものであり、そのような歩行を実現するためには、足裏の内側が低くなることと爪先側が低くなって履物を履いても足の指を下方に屈曲させるなどの動作が自在に行えることが求められる。
【０００５】
本願発明者は、上記のような理想的な歩行を繰り返すことができる履物によって姿勢が矯正され次第に腰痛や膝痛が改善されていくことに着眼し、長期に渡る試行錯誤を繰り返す中で特許出願（特開２００８−２８４０６７号公報、特開２０１０−２６４０３７号公報または特開２０１５−８７６４号公報）を提案したが、履き易さの改善が不十分で長期使用に抵抗を感じるものであった。
【特許文献１】特開平１１−１４６８０２号公報
【特許文献２】特開２００４−２４８９４２号公報
【特許文献３】特開２００５−１６０５６０号公報
【特許文献４】特開２００８−２８４０６７号公報
【特許文献５】特開２０１０−２６４０３７号公報
【特許文献６】特開２０１５−８７６４号公報
【発明の開示】
【発明が解決しようとする課題】
【０００６】
そこで、本発明の課題は、継続的な使用により理想的な歩行や姿勢が形成され次第に腰痛や膝痛も改善されていくと共に、極めて履き易く継続的使用に際して抵抗感を感じさせない履物用中敷およびそれを備えた履物を提供することにある。
【課題を解決するための手段】
【０００７】
上記課題を解決するものは、履物の底部上面に配置する板状体であって、足の指が配置される部位に足の指を下方に向かって屈曲可能とする足指配置用凹部を構成する足指配置用切欠き部と、足の指の付け根が配される部位に沿って幅方向に延在して設けられた足の指の付け根配置部と、該足の指の付け根配置部から足裏の外側が配置される部位に沿って踵が配される方向に延在して設けられた足裏の外側配置部と、前記足の指の付け根配置部から足裏の内側が配置される部位に沿って踵が配される方向に延在して設けられた足裏の内側配置用切欠き部とを有していることを特徴とする履物用中敷である。
【０００８】
前記履物用中敷の前記足裏の外側配置部は、小指球が配置される部位に小指球配置用切欠き部を有していることが好ましい。前記履物用中敷の前記足の指の付け根配置部は、足の指の付け根付近の窪みに対応した三次元形態の隆起部を有していてもよい。前記足裏の外側配置部の内側側面は、内側に向かって降下する傾斜面に形成されていてもよい。前記履物用中敷は、使用者の履物のサイズに応じて前記履物用中敷の前記足裏の外側配置部の踵配置側部位を切除して使用されるものであることが好ましい。前記履物用中敷は、前記履物の底部上面に貼付するための接着層と、該接着層を被覆するための剥離層を有していてもよい。
【０００９】
また、上記課題を解決するものは、前記履物用中敷を底部上面に配したことを特徴とする履物である。
【発明の効果】
【００１０】
請求項１に記載の履物用中敷によれば、これを底部上面に配した履物は継続的な使用により理想的な歩行や姿勢が形成され次第に腰痛や膝痛も改善されていくと共に、極めて履き易く継続的使用に際して抵抗感を感じさせないものとなる。
請求項２に記載の履物用中敷によれば、小指球配置用切欠き部と足裏の内側配置用切欠き部に小指球または拇指球がそれぞれ配されることで横アーチが形成され、継続的な使用により理想的な歩行や姿勢が形成され次第に腰痛や膝痛もより改善されていく履物を構成できる。
請求項３に記載の履物用中敷によれば、足によりフィットしてより履き易く継続的使用がより容易な履物を構成できると共に、履いた状態で既に各指先が下方に向かって屈曲し立体的な形となるためより歩き易く、かつ、より理想的な歩行や姿勢が形成され次第に腰痛や膝痛もより改善されていく。
請求項４に記載の履物用中敷によれば、段差がなく継続的使用に際して抵抗感をより感じない履物を構成できる。
請求項５に記載の履物用中敷によれば、使用者の履物のサイズに履物用中敷のサイズを対応させてより効果的に使用できる。
請求項６に記載の履物用中敷によれば、使用者の履物により容易に履物用中敷を貼付することができる。
請求項７に記載の履物によれば、継続的な使用により理想的な歩行や姿勢が形成され次第に腰痛や膝痛も改善されていくと共に、極めて履き易く継続的使用に際して抵抗感を感じさせないものとなる。
【図面の簡単な説明】
【００１１】
【図１】本発明の履物用中敷の一実施例の平面図である。
【図２】図１のＨ−Ｈ線断面図である。
【図３】本発明の履物の一実施例の平面図である。
【図４】（Ａ）図３のＡ−Ａ線における底部の端面図であり、（Ｂ）は図３のＢ−Ｂ線における底部の端面図であり、（Ｃ）は図３のＣ−Ｃ線における底部の端面図であり、（Ｄ）は図３のＤ−Ｄ線における底部の端面図であり、（Ｅ）は図３のＥ−Ｅ線における底部の端面図である。
【図５】本発明の履物用中敷の他の実施例の平面図である。
【図６】図５のＫ−Ｋ線における底部の断面図である。
【図７】本発明の履物の他の実施例の平面図である。
【図８】図７のＧ−Ｇ線における底部の端面図である。
【図９】本発明の履物の他の実施例の平面図である。
【図１０】図９のＦ−Ｆ線における底部の端面図である。
【図１１】３つのアーチを説明するための人間の足の透視斜視図である。
【発明を実施するための形態】
【００１２】
本発明では、履物の底部上面に配置する板状体であって、足の指が配置される部位に設けられ足の指を下方に向かって屈曲可能とする足指配置用凹部を構成する足指配置用切欠き部２と、足の指の付け根が配される部位に沿って幅方向に延在して設けられた足の指の付け根配置部３と、足の指の付け根配置部３から足裏の外側が配置される部位に沿って踵が配される方向に延在して設けられた足裏の外側配置部４と、足の指の付け根配置部３から足裏の内側が配置される部位に沿って踵が配される方向に延在して設けられた足裏の内側配置用切欠き部５とを有することで、継続的な使用により理想的な歩行や姿勢が形成され次第に腰痛や膝痛も改善されていくと共に、極めて履き易く継続的使用に際して抵抗感を感じさせない履物用中敷１およびそれを備えた履物１０を実現した。
【実施例１】
【００１３】
この実施例の履物用中敷１は、図１または図２に示すように、履物の底部上面に配置する板状体であって、足の指が配置される部位に設けられ足の指を下方に向かって屈曲可能とする足指配置用凹部を構成する足指配置用切欠き部２と、足の指の付け根が配される部位に沿って幅方向に延在して設けられた足の指の付け根配置部３と、足の指の付け根配置部３から足裏の外側が配置される部位に沿って踵が配される方向に延在して設けられた足裏の外側配置部４と、足の指の付け根配置部３から足裏の内側が配置される部位に沿って踵が配される方向に延在して設けられた足裏の内側配置用切欠き部５とを有している。以下、各構成について順次詳述する。
【００１４】
本発明の履物用中敷は、スリッパ、運動靴、革靴、ナースシューズなどの靴全般の他、サンダルまたは草履などの履物の底部上面に配して使用するものであり、板状体は例えばゴム材、合成樹脂、木材、紙材、発泡体などで形成することができる。
【００１５】
この実施例の履物用中敷１は、履物の底部上面に配置する平らな板状体であって約５ｍｍの厚みを有している。ただし、本発明の履物用中敷の厚みは５ｍｍに限定されるものてばなく、使用される履物等に応じて適宜設計変更可能である。
【００１６】
足指配置用切欠き部２は、足の指が配置される部位に設けられ足の指を下方に向かって屈曲可能とする足指配置用凹部を構成するためのものである。履物用中敷１を履物の底部上面に配置して、このような足指配置用凹部が構成されることにより、履物を履いても足の指を下方に屈曲させるなどの動作を自在に行うことができ、足の指の力も次第に強化されていく。これによって、土踏まずが反り上がった縦アーチ（図１１中２１，２３）も形成されていき理想的な歩行が可能となる。さらに、足の指を下方に屈曲させることで、脚の裏側の筋が伸びて腰が入り背筋も伸びて理想的な姿勢が形成されこれらの複合的作用により次第に腰痛や膝痛が改善されていく。
【００１７】
足の指の付け根配置部３は、足のつま先側に足指配置用切欠き部２との境界に段部を形成することで足指配置用凹部を構成するための部位であり、足の指の付け根が配される部位に沿って幅方向に平面視略Ｃ型形状に延在して設けられている。
【００１８】
足裏の外側配置部４は、足裏の外側を足裏の内側より高くしてＯ脚や歩行姿勢を矯正するための部位であり、足の指の付け根配置部３から足裏の外側が配置される部位に沿って踵が配される方向に延在して設けられている。
【００１９】
足裏の内側配置用切欠き部５は、足裏の内側を足の外側より低くしてＯ脚や歩行姿勢を矯正するための部位であり、足の指の付け根配置部３から足裏の内側が配置される部位に沿って踵が配される方向に延在して設けられている。なお、図１または図２に示した履物用中敷１は右足用のものであり、左足用は、足裏の外側配置部４と足裏の内側配置用切欠き部５が左右逆となり、両者、平面視線対称の関係にある一対の履物用中敷として構成され提供される。
【００２０】
この実施例の履物用中敷１は、上記のような足指配置用切欠き部２、足の指の付け根配置部３、足裏の外側配置部４および足裏の内側配置用切欠き部５が一体成形された板状体にて形成されていることで、この履物用中敷１を履物の上部底面に載置して継続的に使用することによって理想的な歩行や姿勢が形成され次第に腰痛や膝痛も改善されていくと共に、極めて履き易く抵抗感を感じさせないものとなる。
【００２１】
また、履物用中敷１の足裏の外側配置部４は、小指球が配置される部位に小指球配置用切欠き部６を有している。これにより、この小指球配置用切欠き部６と足裏の内側配置用切欠き部５に、図１１に示した小指球２４または拇指球２５がそれぞれ配されることで横アーチ２２が形成され、その継続的な使用により理想的な歩行や姿勢が形成されて次第に腰痛や膝痛もより改善されていく履物が構成される。なお、この実施例の小指球配置用切欠き部６は、平面視略矩形の切欠き部であるが、これに限定されるものではなく、例えば小指球２４の形態に対応した平面視略円形の切欠き部などであってもよい。
【００２２】
さらに、履物用中敷１は、使用者の履物のサイズに応じて履物用中敷１の足裏の外側配置部４の踵配置側部位を、例えば図１の想像線ｍのように切除して使用することができる。これにより、使用者の履物のサイズに履物用中敷のサイズを対応させてより効果的に使用することができる。
【００２３】
さらに、履物用中敷１は、図２に示すように、履物の底部上面に貼付するための接着層７と、接着層７を被覆するための剥離層８を有している。これにより、使用者の履物に、より容易に履物用中敷１を貼付することができる。なお、接着層７は履物の底部上面に板状体を接着して硬化させた際、履物の底部上面から容易に剥がれない程度の接着強度を備えるものであればどのようなものでもよく、例えばエポキシ樹脂などが好適に使用できる。他方、剥離層８は、接着層７を使用時まで硬化させることなく被覆可能であればどのようなものでもよく、例えば紙材、樹脂シートなどが好適に使用できる。
【００２４】
つぎに、図３および図４に示した本発明の履物の一実施例について説明する。
この実施例の履物１０は、前記履物用中敷１を底部１１上面に配した履物であり、より具体的には、足の指が配置される部位に設けられた足の指を下方に向かって屈曲可能とする足指配置用凹部１２を構成する足指配置用切欠き部２と、足の指の付け根が配される部位に沿って幅方向に延在して設けられた足の指の付け根配置部３と、足の指の付け根配置部３から足裏の外側が配置される部位に沿って踵が配される方向に延在して設けられた足裏の外側配置部４と、足の指の付け根配置部３から足裏の内側が配置される部位に沿って踵が配される方向に延在して設けられた足裏の内側配置用切欠き部５と、足裏の外側配置部４の小指球が配置される部位に小指球配置用切欠き部６を有した履物用中敷１を底部上面１１に配した履物である。以下、各構成について順次詳述するが、前述した履物用中敷１と同一構成部分について同一符号を付して説明する。
【００２５】
この実施例の履物１０はサンダルであるが、これに限定されるものではなく、履物であればどのようなものでもよく、例えば運動靴、革靴、ナースシューズなど靴全般の他、草履やスリッパなども広く本願でいう履物に包含される。また、この実施例の履物１０は、履物用中敷１を底部１１上面に貼付したものであるため、履物用中敷１の剥離層８を剥離して底部１１上面に貼付して構成されているが、本発明の履物はこれに限定されるものではなく、本発明の履物用中敷の構成を履物の底部に一体成形したものも本発明の履物の範疇に包含される。さらに、この履物１０はサンダルであるため、図３に示すように、底部１１と底部１１に取り付けられた甲当て１４とから構成されている。
【００２６】
足指配置用切欠き部２は、足の指が配置される部位に設けられ足の指を下方に向かって屈曲可能とする足指配置用凹部１２を構成するためのものである。履物用中敷１を履物の底部１１上面に配置して、このような足指配置用凹部１２が構成されることにより、履物を履いても足の指を下方に屈曲させるなどの動作を自在に行うことができ、足の指の力も次第に強化されていく。これによって、土踏まずが反り上がった縦アーチ（図１１中２１，２３）も形成されていき理想的な歩行が可能となる。さらに、足の指を下方に屈曲させることで、脚の裏側の筋が伸びて腰が入り背筋も伸びて理想的な姿勢が形成されこれらの複合的作用により次第に腰痛や膝痛が改善されていく。
【００２７】
具体的には、底部１１のうち足の指が位置する部位付近には、履物用中敷１の足指配置用切欠き部２によって、図４（Ａ）に示すように足指配置用凹部１２が設けられている。この足指配置用凹部１２は、図３に示すように、足の指の配置形態に対応して平面視略Ｃ型形状に形成されており、これにより、足の指にフィットしてより履き易く継続的使用がより容易な履物となる。
【００２８】
底部１１の形成材料としては、公知の材料が使用できるが、例えばゴム材、合成樹脂、革材、紙材、発泡体などが好適に使用できる。また、底部１１の先端部は、先端側に向かって反り上がるように形成されることで、歩行に際して底部１１の先端部が床等に引っ掛かって転倒することが防止されるよう構成されている。
【００２９】
足の指の付け根配置部３は、足のつま先側に足指配置用切欠き部２との境界に段部（図４（Ａ）、（Ｂ）参照）を形成することで足指配置用凹部１２を構成するための部位であり、足の指の付け根が配される部位に沿って幅方向に平面視略Ｃ型形状（図３参照）に延在して設けられている。
【００３０】
足裏の外側配置部４は、足裏の外側を足裏の内側より高くして（図４（Ｃ）、（Ｄ）、（Ｅ）参照）Ｏ脚や歩行姿勢を矯正するための部位であり、足の指の付け根配置部３から足裏の外側が配置される部位に沿って踵が配される方向に延在して設けられている。
【００３１】
足裏の内側配置用切欠き部５は、足裏の内側を足裏の外側より低くしてＯ脚や歩行姿勢を矯正するための部位であり、足の指の付け根配置部３から足裏の内側が配置される部位に沿って踵が配される方向に延在して設けられている。
【００３２】
この実施例の履物１０は、上記のような足指配置用切欠き部２、足の指の付け根配置部３、足裏の外側配置部４および足裏の内側配置用切欠き部５が設けられることで、継続的に使用することによって理想的な歩行や姿勢が形成され次第に腰痛や膝痛も改善されていくと共に、極めて履き易く抵抗感を感じさせることもない。
【００３３】
また、履物１０の足裏の外側配置部４は、小指球が配置される部位に小指球配置用切欠き部６を有している。これにより、この小指球配置用切欠き部６と足裏の内側配置用切欠き部５に、図１１に示した小指球２４または拇指球２５がそれぞれ配されることで横アーチ２２が形成され、継続的な使用により理想的な歩行や姿勢が形成されて次第に腰痛や膝痛もより改善されていく履物が構成される。なお、この実施例の小指球配置用切欠き部６は、平面視略矩形の切欠き部であるが、これに限定されるものではなく、例えば小指球２４の形態に対応した平面視略円形の切欠き部などであってもよい。
【００３４】
つぎに、図５または図６に示した本発明の履物用中敷の他の実施例について説明する。
この実施例の履物用中敷３０と前述した履物用中敷１との相違点は、履物用中敷３０の足の指の付け根配置部３が、足の指の付け根付近の窪みに対応した三次元形態の隆起部９を一体に有している点のみであり他は履物用中敷１と同様である。履物用中敷１と同一構成部分については同一符号を付し説明を省略する。
【００３５】
このように、足の指の付け根配置部３が、足の指の付け根の窪み付近に対応した三次元形態（平面視略Ｃ型形状の山脈形状）に形成された隆起部９を有することにより、足にフィットしてより履き易く継続的使用がより容易な履物を構成することができる。また、隆起部９が設けられることにより、履いた状態で既に各指先が下方に向かって屈曲し立体的な形となってより歩き易く、かつ、より理想的な歩行や姿勢が形成され次第に腰痛や膝痛もより改善されていく。
【００３６】
さらに、図７または図８に示した本発明の履物の他の実施例について説明する。
この実施例の履物４０は、前記履物用中敷３０を底部１１上面に配した履物であり、この実施例の履物４０と前述した履物１０との相違点は、履物４０の足の指の付け根配置部３が、足の指の付け根付近の窪みに対応した三次元形態の隆起部９を一体に有している点のみであり他は履物１０と同様である。履物１０と同一構成部分については同一符号を付し説明を省略する。
【００３７】
このように、足の指の付け根配置部３が、足の指の付け根の窪み付近に対応した三次元形態（平面視略Ｃ型形状の山脈形状）に形成された隆起部９を有することにより、足にフィットしてより履き易く継続的使用がより容易な履物を構成することができる。また、隆起部９が設けられることにより、履いた状態で既に各指先が下方に向かって屈曲し立体的な形となってより歩き易くなる効果を有する。
【００３８】
さらに、図９または図１０に示した本発明の履物の他の実施例について説明する。
この実施例の履物６０は、前記履物用中敷５０を底部１１上面に配した履物であり、この実施例の履物６０と前述した履物１０との相違点は、足裏の外側配置部４の内側側面が、内側に向かって降下する傾斜面１５に形成されている点のみである。履物１０と同一構成部分については同一符号を付し説明を省略する。そして、このように、足裏の外側配置部４の内側側面が内側に向かって降下する傾斜面１５に形成されることにより、段差がなく継続的使用に際して抵抗感をより感じない履物を構成できる。なお、この実施例では、足裏の外側配置部４の内側側面が内側に向かって降下する傾斜面１５に形成されているが、足裏の外側配置部４自体が内側に向かって降下する傾斜面５に形成されているもの、履物用中敷の端面すべてが傾斜面に形成されているようなものも本発明の範疇に包含される。
【符号の説明】
【００３９】
１    履物用中敷
２    足指配置用切欠き部
３    足の指の付け根配置部
４    足裏の外側配置部
５    足裏の内側配置用切欠き部
６    小指球配置部
７    接着層
８    剥離層
９    隆起部
１０  履物
１１  底部
１２  足指配置用凹部
１３  隆起部
１４  甲当て
１５  傾斜面
【図１】
2018192026.tif 000003
【図２】
2018192026.tif 000004
【図３】
2018192026.tif 000005
【図４】
2018192026.tif 000006
【図５】
2018192026.tif 000007
【図６】
2018192026.tif 000008
【図７】
2018192026.tif 000009
【図８】
2018192026.tif 000010
【図９】
2018192026.tif 000011
【図１０】
2018192026.tif 000012
【図１１】
2018192026.tif 000013